(57)【特許請求の範囲】
【請求項１】
１本以上の電話回線に接続される主装置と、この主装置に内線電話回線を介して接続する複数のボタン電話機とからなり、前記主装置で前記ボタン電話機を前記電話回線へ交換接続して通話を形成するとともに、ＬＡＮ回線を介して前記主装置に接続する１つ以上の通信端末を前記電話回線へ交換接続することによりデータ通信を形成するボタン電話装置において、
前記主装置は、
パケットの通過を規制する複数のフィルタごとに、当該フィルタを識別するためのフィルタ番号と、当該フィルタでの規制内容を示すフィルタリング内容と、当該フィルタの有効期間とが登録されたフィルタリングテーブルを参照して、前記通信端末から前記電話回線へ送出されるパケットのうち、予め設定されたパケットの通過または破棄をそれぞれ管理する複数のフィルタを有するフィルタ手段と、
当該回線制御装置に接続された管理装置からの規制解除要求に応じて前記フィルタリングテーブルの対応するフィルタの有効期間を設定変更して、前記フィルタ手段内の対応するフィルタを一時的に有効状態または無効状態に設定することにより、前記通信端末からのパケットに対するデータ通信規制を解除するフィルタ制御手段とを備え、
前記フィルタ手段は、前記フィルタとして、常時すべてのパケットを破棄する破棄フィルタと、有効設定時に予め設定された特定パケットのみを前記破棄フィルタで破棄せず通過させる複数の通過フィルタを有し、
前記管理装置として、前記通信端末のデータ通信規制を管理する管理者の管理者ボタン電話機を用い、
前記フィルタ制御手段は、任意のボタン電話機と内線通話状態にある前記管理者ボタン電話機での特定キー操作に応じて、当該管理者ボタン電話機と内線通話状態にあるボタン電話機に対して、前記主装置の記憶部に設定されている通信端末の管理情報によって予め関連付けられている通信端末の通過フィルタを、一時的に有効状態に設定することにより、当該ボタン電話機のパケットに対する規制を解除する
ことを特徴とするボタン電話装置。
【請求項２】
請求項１記載のボタン電話装置において、
前記フィルタ制御手段は、前記通過フィルタを有効状態に設定する際、その通過フィルタの有効期間を設定し、
前記フィルタ手段は、前記各通過フィルタのうち有効期間が超過した通過フィルタを無効状態に設定することを特徴とするボタン電話装置。
【発明の詳細な説明】
【０００１】
【発明の属する技術分野】
本発明は、回線制御装置およびボタン電話装置に関し、特に電話回線に通信端末を接続して外部とのデータ通信を実現させる回線制御装置およびボタン電話装置に関するものである。
【０００２】
【従来の技術】
一般に、データ通信を行うパソコンなどの通信端末を電話回線に接続してデータ通信を実現させる回線制御装置やボタン電話装置では、外部からの不正アクセスに対するセキュリティや不要データ通信の抑制などの観点から、通信端末による外部とのデータ通信を規制する場合がある。
従来、このような回線制御装置やボタン電話装置では、通信端末による外部とのデータ通信を規制する場合、例えば、通信規制時間帯を設定し、その通信規制時間帯には、各通信端末からのパケットを外部へ送信せず破棄するものとなっていた。
【０００３】
【発明が解決しようとする課題】
しかしながら、このような従来の回線制御装置やボタン電話装置では、通信規制時間帯において通信端末による外部とのデータ通信を拒否する場合、すべての通信端末からのパケットをすべて破棄するものとなっているため、データ通信でしかやり取りできない情報を送受信する場合や緊急時などに柔軟に対応できないという問題点があった。
本発明はこのような課題を解決するためのものであり、通信端末に対して柔軟に通信規制を行うことができる回線制御装置およびボタン電話装置を提供することを目的としている。
【０００４】
【課題を解決するための手段】
このような目的を達成するために、本発明にかかる回線制御装置は、１本以上の電話回線に接続される主装置と、この主装置に内線電話回線を介して接続する複数のボタン電話機とからなり、主装置でボタン電話機を電話回線へ交換接続して通話を形成するとともに、ＬＡＮ回線を介して主装置に接続する１つ以上の通信端末を電話回線へ交換接続することによりデータ通信を形成するボタン電話装置において、主装置に、パケットの通過を規制する複数のフィルタごとに、当該フィルタを識別するためのフィルタ番号と、当該フィルタでの規制内容を示すフィルタリング内容と、当該フィルタの有効期間とが登録されたフィルタリングテーブルを参照して、通信端末から電話回線へ送出されるパケットのうち、予め設定されたパケットの通過または破棄をそれぞれ管理する複数のフィルタを有するフィルタ手段と、当該回線制御装置に接続された管理装置からの規制解除要求に応じてフィルタリングテーブルの対応するフィルタの有効期間を設定変更して、フィルタ手段内の対応するフィルタを一時的に有効状態または無効状態に設定することにより、通信端末からのパケットに対するデータ通信規制を解除するフィルタ制御手段とを備え、フィルタ手段は、フィルタとして、常時すべてのパケットを破棄する破棄フィルタと、有効設定時に予め設定された特定パケットのみを破棄フィルタで破棄せず通過させる複数の通過フィルタを有し、管理装置として、通信端末のデータ通信規制を管理する管理者の管理者ボタン電話機を用い、フィルタ制御手段で、任意のボタン電話機と内線通話状態にある管理者ボタン電話機での特定キー操作に応じて、当該管理者ボタン電話機と内線通話状態にあるボタン電話機に対して、主装置の記憶部に設定されている通信端末の管理情報によって予め関連付けられている通信端末の通過フィルタを、一時的に有効状態に設定することにより、当該ボタン電話機のパケットに対する規制を解除するものである。
【０００７】
このとき、フィルタ制御手段で、通過フィルタを有効状態に設定する際、その通過フィルタの有効期間を設定し、フィルタ手段で、各通過フィルタのうち有効期間が超過した通過フィルタを無効状態に設定するようにしてもよい。
【０００８】
管理装置としては、通信端末のデータ通信規制を管理する管理者の管理者ボタン電話機を用い、フィルタ制御手段は、管理者ボタン電話機による特定キー操作を規制解除要求と判断するようにしてもよい。
このとき、フィルタ制御手段で、管理者ボタン電話機による特定キー操作を検出した際、その管理者ボタン電話機と内線通話状態にあるボタン電話機に予め関連付けられている通信端末のフィルタを一時的に有効状態に設定するようにしてもよい。
【０００９】
【発明の実施の形態】
次に、本発明の実施の形態について図面を参照して説明する。
図１は本発明の第１の実施の形態にかかる回線制御装置の構成を示すブロック図である。
回線制御装置（以下、ルータという）１０Ｒは、１本以上の電話回線５０に接続されるとともに、内線電話回線３０を介して複数のアナログ電話機３０Ａ〜３０Ｎと接続され、さらにＬＡＮ回線４０を介して通信端末４０Ａ〜４０Ｍと接続されている。
このルータ１０Ｒには、外線インターフェース部（以下、外線Ｉ／Ｆ部という）１１、電話機インターフェース部（以下、電話機Ｉ／Ｆ部という）１２Ｒ、スイッチ１３、呼制御部１４、記憶部１５、ＬＡＮインターフェース部（以下、ＬＡＮＩ／Ｆ部という）１６が設けられている。
【００１０】
外線Ｉ／Ｆ部１１は、ＩＳＤＮ回線など網側からの電話回線５０に接続され、回線ごとに個別に終端制御を行う。電話機Ｉ／Ｆ部１２Ｒは、内線電話回線３０を介して各アナログ電話機３０Ａ〜３０Ｎを制御する。
ＬＡＮＩ／Ｆ部１６は、ＬＡＮ回線４０を介して１つ以上の通信端末４０Ａ〜４０Ｍを接続し、これら通信端末４０Ａ〜４０Ｍとスイッチ１３および外線Ｉ／Ｆ部１１を介して電話回線５０との間でデータをやり取りすることにより、通信端末４０Ａ〜４０Ｍによる外部とのデータ通信を実現するとともに、これらデータ通信の状態を管理する。
【００１１】
スイッチ１３は、呼制御部１４からの指示に応じて、外線Ｉ／Ｆ部１１と電話機Ｉ／Ｆ部１２Ｒとをパスで接続して音声データのやり取りを可能とすることにより、電話回線５０とアナログ電話機３０Ａ〜３０Ｎのいずれかとの間の音声通話を形成する。また、外線Ｉ／Ｆ部１１とＬＡＮＩ／Ｆ部１６とをパスで接続し、各種データのやり取りを可能とすることにより、電話回線５０と通信端末４０Ａ〜４０Ｍとの間のデータ通信を形成する。
【００１２】
呼制御部１４は、ＣＰＵおよびその周辺回路から構成され、予め呼制御部１４や記憶部１５に格納されている所定のプログラムにより動作して装置の各部を制御することにより、アナログ電話機３０Ａ〜３０Ｎや通信端末４０Ａ〜４０Ｍに関する呼制御を行う。
記憶部１５は、必要に応じて呼制御部１４で実行するプログラムを予め格納し、また呼制御部１４の処理動作に必要な情報を記憶する。処理動作に必要な情報としては、例えば電話回線５０の使用状態や、アナログ電話機３０Ａ〜３０Ｎの個別の動作状態、通信端末４０Ａ〜４０Ｍの管理情報、短縮電話番号やリダイヤル電話番号などを記憶する。また、データ通信時の接続先電話番号も記憶しておく。
【００１３】
本実施の形態では、通信端末４０Ａ〜４０Ｍによる電話回線５０を用いた外部とのデータ通信を規制するため、ＬＡＮＩ／Ｆ部１６にフィルタ手段１６Ａを設けるとともに、呼制御部１４にフィルタ制御手段１４Ａを設けてある。
フィルタ手段１６Ａは、所定アドレスやポート番号を有するパケットの通過を規制する一般的なパケットフィルタリング機能である。ここでは、各種の規制内容を予め設定した複数のフィルタを用いて、通信端末ごとあるいはプロトコルごとに柔軟なきめ細かい規制を実現している。
【００１４】
次に、図２を参照して、本実施の形態にかかる回線制御装置のフィルタリング動作について説明する。図２は回線制御装置のフィルタリング動作を示すシーケンス図である。
通信端末４０Ａが外部とデータ通信を開始する際、ＬＡＮ回線４０を介してルータ１０ＲのＬＡＮＩ／Ｆ部１６へパケットを送信する（ステップ１００）。ルータ１０ＲのＬＡＮＩ／Ｆ部１６では、このパケットを受信し、フィルタ手段１６Ａでそのパケットの通過可否を判断する。
【００１５】
このフィルタ手段１６Ａでは、各フィルタごとの規制内容を、図３に示すようなフィルタリングテーブルで管理している。図３にフィルタリングテーブルの構成例を示す。このフィルタリングテーブルでは、各フィルタごとに、フィルタを識別するためのフィルタ番号、そのフィルタでの規制内容を示すフィルタリング内容、そのフィルタの有効期間を管理している。
フィルタ制御手段１４Ａでは、管理者による設定操作に応じて、フィルタ手段１６Ａに対してこれら各フィルタの規制内容を予め設定する。また、管理者による一時的な規制解除指示に応じて、フィルタ手段１６Ａに対して「通過」設定用のフィルタを有効とする。このとき、そのフィルタの有効期間も設定する。
【００１６】
図３では、フィルタ「１」のフィルタについては、ＩＰアドレスが「１９２．１６８．０．１００」でポート番号が「３２」のパケットについてのみ「通過」が設定されており、この規制の有効期間は残り時間で「１０分」であることを示している。また、フィルタ「ｎ」のフィルタについては、ＩＰアドレスが「０．０．０．０」すなわちすべてのパケットについて「破棄」が設定されており、この規制の有効期間は「常時」であることを示している。
フィルタ手段１６Ａでは、パケット「通過」設定が「破棄」に対して優先されるものとなっており、この例では、フィルタ「ｎ」すなわち破棄フィルタですべての通信端末４０Ａ〜４０Ｍからのパケットについて「破棄」が設定され、そのうち他のフィルタすなわち通過フィルタで「通過」設定され通信許可されたパケットのみが外部へ送信される。
【００１７】
したがって、通常、フィルタ「ｎ」のみが有効であり、その他のフィルタの有効期間が「０」すなわち無効の状態に設定されているため、ステップ１００で通信端末４０Ａから送信されたパケットは、「通過」設定のフィルタがないことからフィルタ「ｎ」の規制により破棄され、データ通信が拒否される（ステップ１０１）。
【００１８】
通信端末４０Ａの利用者は、このパケット破棄による通信エラーの通報を通信端末４０Ａから受け、外部とのデータ通信が必要な場合、管理者へ通信拒否の解除を要請する（ステップ１０２）。この要請については、利用者が直接口頭で管理者へ通信拒否の解除を要請してもよく、可能であれば利用者の近くの電話機、例えばアナログ電話機３０Ａを用いて管理者のアナログ電話機３０Ｎと内線通話を行うことにより要請してもよい。
【００１９】
管理者は、利用者からの要請を聞き、外部とのデータ通信が必要であると判断した場合、管理装置で所定の規制解除操作を行い（ステップ１０３）、通信端末４０Ａに対するデータ通信の一時規制解除を指示する（ステップ１０４）。
このとき、管理装置としては、管理者のアナログ電話機３０Ｎを用いることもでき、規制解除操作として例えば特番「＃９」＋通信端末番号「０１」をダイヤルする。
【００２０】
ルータ１０Ｒの呼制御部１４では、電話機Ｉ／Ｆ部１２Ｒを介してアナログ電話機３０Ｎでの規制解除操作を受け付け（ステップ１１０）、フィルタ制御手段１４Ａを用いて、一時的なデータ通信の規制解除をフィルタ手段１６Ａへ設定する（ステップ１１１）。
ここでは、特番「＃９」に続くダイヤル番号で規制解除対象の通信端末番号「０１」を取得し、予め記憶部１５に設定されている通信端末の管理情報から、通信端末４０Ａに対応する規制解除用のフィルタとしてフィルタ「１」を取得する。そして、フィルタ手段１６Ａのフィルタリングテーブル（図３参照）に対し、フィルタ「１」の有効期間、例えば１０分を設定する。
【００２１】
これにより、フィルタ手段１６Ａでは、フィルタ「１」を有効とし、通信端末４０Ａからのパケットを外部、ここではスイッチ１３への通過を許可する。したがって、その後、通信端末４０Ａからデータ通信が開始された場合（ステップ１１３）、そのパケットは、フィルタ手段１６Ａでデータ通信可と判断され、スイッチ１３、外線Ｉ／Ｆ部１１を介して電話回線５０から外部へ送信される。これにより、通信端末４０Ａによる外部とのデータ通信が開始される（ステップ１１４）。
【００２２】
この後、フィルタ手段１６Ａでは、フィルタリングテーブルに設定されている各フィルタの有効期間（残り時間）を時間経過とともに減算する。そして、有効期間が「０」となった時点で、そのフィルタを無効とする。
したがって、ステップ１１１において、フィルタ「１」が有効とされてから有効期間「１０分」が経過した後、フィルタ「１」が無効となり、それ以降のデータ通信が自動的に拒否されることになる。
【００２３】
このように、本実施の形態によれば、フィルタ手段１６Ａにそれぞれ特定のパケットの通過または破棄を管理する複数のフィルタを設け、フィルタ制御手段１４Ａで、管理装置からの解除要求に応じて、対応するフィルタの一時的な有効／無効をフィルタ手段１６Ａへ指示するようにしたので、従来のように、通信規制時間帯においてすべての通信端末からのパケットをすべて破棄するものと比較して、任意の通信端末に対して柔軟に通信規制を行うことができ、データ通信でしかやり取りできない情報を送受信する場合や緊急時などに柔軟に対応できる。
【００２４】
また、フィルタ手段１６Ａでは、特定のパケットを通過させる複数の通過フィルタを設けて、これら通過フィルタで許可されたパケットのみを通過させるものとし、フィルタ制御手段１４Ａでは、管理装置からの解除要求に応じて、所望のパケットに対応するフィルタを一時的に有効とするようにしたので、各フィルタの有効／無効を設定するという簡素な制御で、個々の通過フィルタで通過させるパケットを個別に設定でき、通信端末４０Ａ〜４０ＭのＩＰアドレスごと、さらにはそれぞれの通信端末でのポートごとすなわち通信プロトコルごとに、フィルタを設けることにより、極めて柔軟にデータ通信を管理できる。
【００２５】
また、フィルタ手段１６Ａでは、各フィルタを有効期間だけ有効とし、フィルタ制御手段１４Ａでは、管理者からの解除要求に応じて対応する通過フィルタの有効期間として所定時間長を設定するようにしたので、管理者がデータ通信の経過時間や終了を逐次チェックする必要がなくなり、管理者の管理負担を大幅に軽減できる。なお、通過フィルタの有効期間については、予め記憶部１５に設定しておいた規定時間を一律に用いてもよいが、管理者が解除要求の際、規制解除時間を入力し、その規制解除時間に基づきフィルタ制御手段１４Ａが通過フィルタの有効期間を設定するようにしてもよい。
【００２６】
次に、図４を参照して、本発明の第２の実施の形態にかかるボタン電話装置について説明する。図４は第２の実施の形態にかかるボタン電話装置の構成を示すブロック図である。
このボタン電話装置は、１本以上の電話回線５０に接続される主装置１０と、この主装置１０に内線伝送路２０を介して接続される複数のボタン電話機２０Ａ〜２０Ｎとからなり、さらに主装置１０にはＬＡＮ回線４０を介して通信端末４０Ａ〜４０Ｍが接続されている。
【００２７】
主装置１０には、前述した回線制御装置の構成（図１参照）と比較して、電話機Ｉ／Ｆ部１２Ｒに代えて、内線伝送路２０を介してボタン電話機２０Ａ〜２０Ｎを収容する内線インターフェース部（以下、内線Ｉ／Ｆ部という）１２が設けられている。そのほかの、外線Ｉ／Ｆ部１１、スイッチ１３、呼制御部１４、記憶部１５、およびＬＡＮＩ／Ｆ部１６については、前述と同様の機能を有している。同様に、呼制御部１４にはフィルタ制御手段１４Ａが設けられており、ＬＡＮＩ／Ｆ部１６にはフィルタ手段１６Ａが設けられている。
【００２８】
次に、図５を参照して、本実施の形態にかかるボタン電話装置のフィルタリング動作について説明する。図５はボタン電話装置のフィルタリング動作を示すシーケンス図である。
通信端末４０Ａが外部とデータ通信を開始する際、ＬＡＮ回線４０を介して主装置１０のＬＡＮＩ／Ｆ部１６へパケットを送信する（ステップ１２０）。主装置１０のＬＡＮＩ／Ｆ部１６では、このパケットを受信し、フィルタ手段１６Ａでそのパケットの通過可否を判断する。
【００２９】
フィルタ制御手段１４Ａでは、管理者による設定操作に応じて、フィルタ手段１６Ａのフィルタリングテーブルに対して、これら各フィルタの規制内容を予め設定する。また、管理者による一時的な規制解除指示に応じて、フィルタ手段１６Ａに対して「通過」設定用のフィルタを有効とする。このとき、そのフィルタの有効期間も設定する。
前述した図３と同様のフィルタリングテーブルが設定されている場合には、通常、フィルタ「ｎ」のみが有効であり、その他のフィルタの有効期間が「０」すなわち無効の状態に設定されているため、ステップ１２０で通信端末４０Ａから送信されたパケットは、「通過」設定のフィルタがないことからフィルタ「ｎ」の規制により破棄され、データ通信が拒否される（ステップ１２１）。
【００３０】
通信端末４０Ａの利用者は、このパケット破棄による通信エラーの通報を通信端末４０Ａから受け、外部とのデータ通信が必要な場合、管理者へ通信拒否の解除を要請する（ステップ１２２）。この要請については、利用者の通信端末４０Ａと対応付けられている電話機、例えばボタン電話機２０Ａを用いて管理者のボタン電話機２０Ｎと内線通話を行うことにより要請する。なお、利用者が直接口頭で管理者へ通信拒否の解除を要請してもよい。
【００３１】
管理者は、ボタン電話機２０Ｎでボタン電話機２０Ａからの内線呼び出しに応答し（ステップ１２３）、内線通話を介して利用者からの要請を受け付ける（ステップ１２４）。そして、利用者による外部とのデータ通信が必要であると判断した場合、管理装置ここではボタン電話機２０Ｎで所定の規制解除操作を行い（ステップ１２５）、通信端末４０Ａに対するデータ通信の一時規制解除を指示し、内線通話を終話する（ステップ１２６）。
このとき管理者は、ボタン電話機２０Ａとの内線通話状態で、規制解除操作、例えばボタン電話機２０Ｎに設けられている解除キーを押下する。
【００３２】
主装置１０の呼制御部１４では、内線Ｉ／Ｆ部１２を介してボタン電話機２０Ｎでの規制解除操作を受け付け（ステップ１３０）、フィルタ制御手段１４Ａを用いて、一時的なデータ通信の規制解除をフィルタ手段１６Ａへ設定する（ステップ１３１）。
呼制御部１４では、内線通話状態を含む各ボタン電話機の動作状態を記憶部１５で管理しており、ここでは、ボタン電話機２０Ｎから、解除キー押下すなわち規制解除指示を受信した際、その内線通話相手のボタン電話機２０Ａを確認できる。したがって、予め記憶部１５に設定されている通信端末の管理情報から、そのボタン電話機２０Ａに対応する通信端末４０Ａの規制解除用フィルタとしてフィルタ「１」を取得する。そして、フィルタ手段１６Ａのフィルタリングテーブル（図３参照）に対し、フィルタ「１」の有効期間、例えば１０分を設定する。
【００３３】
これにより、フィルタ手段１６Ａでは、フィルタ「１」を有効とし、通信端末４０Ａからのパケットを外部、ここではスイッチ１３への通過を許可する。したがって、その後、通信端末４０Ａからデータ通信が開始された場合（ステップ１３３）、そのパケットは、フィルタ手段１６Ａでデータ通信可と判断され、スイッチ１３、外線Ｉ／Ｆ部１１を介して電話回線５０から外部へ送信される。これにより、通信端末４０Ａによる外部とのデータ通信が開始される（ステップ１３４）。
【００３４】
この後、フィルタ手段１６Ａでは、フィルタリングテーブルに設定されている各フィルタの有効期間（残り時間）を時間経過とともに減算する。そして、有効期間が「０」となった時点で、そのフィルタを無効とする。
したがって、ステップ１３１において、フィルタ「１」が有効とされてから有効期間「１０分」が経過した後、フィルタ「１」が無効となり、それ以降のデータ通信が自動的に拒否されることになる。
【００３５】
このように、本実施の形態によれば、ボタン電話装置においても、任意の通信端末に対して柔軟に通信規制を行うことができ、重要なデータを送受信する場合や緊急時などに柔軟に対応でき、前述と同様の作用効果が得られる。
また、フィルタ制御手段１４Ａでは、データ通信の規制解除要求元となる利用者のボタン電話機との内線通話状態における解除キー操作に基づき、管理装置ここでは管理者のボタン電話機からの規制解除指示を受け付けるようにしたので、規制解除指示について管理者による認証を得るという効果が得られるとともに、管理者の操作負担を軽減できる。
【００３６】
また、フィルタ手段１６Ａで設定する通過フィルタの有効期間については、予め記憶部１５に設定しておいた規定時間を一律に用いてもよいが、管理者が解除要求の際、規制解除時間を入力し、その規制解除時間に基づきフィルタ制御手段１４Ａが通過フィルタの有効期間を設定するようにしてもよい。このとき、解除キーの押下回数に応じて規制解除時間を押下回数分だけ増すようにしてもよい。
【００３７】
以上の各実施の形態では、利用者が管理者へ口頭あるいは内線通話で規制解除を要請する場合を例として説明したが、これに限定されるものではなく、例えば、これら電話機間で電子メールや電子メッセージをやり取りできる場合には、通話ではなくこれら電子情報を用いて利用者が管理者へ規制解除要請を行ってもよい。あるいは、電話機間ではなく、管理者の通信端末４０Ｍと電子メールや電子メッセージなどの電子情報をやり取りして規制解除要請を行うようにしてもよい。
【００３８】
また、以上の各実施の形態では、管理者が規制解除を行う管理装置として、予め管理者に割り当てられたアナログ電話機３０Ｎやボタン電話機２０Ｎを用いる場合について説明したが、これに限定されるものではなく、例えば管理者の通信端末４０Ｍを管理装置として用いて、その通信端末４０Ｍで規制解除操作を行い、その通信端末４０Ｍからの規制解除指示をＬＡＮＩ／Ｆ部１６を介して呼制御部１４が受け付けるようにしてもよい。
【００３９】
【発明の効果】
以上説明したように、本発明によれば、従来のように、通信規制時間帯においてすべての通信端末からのパケットをすべて破棄するものと比較して、任意の通信端末に対して柔軟に通信規制を行うことができ、重要なデータを送受信する場合や緊急時などに柔軟に対応できる。
【図面の簡単な説明】
【図１】  本発明の第１の実施の形態にかかる回線制御装置の構成を示すブロック図である。
【図２】  回線制御装置の動作を示すシーケンス図である。
【図３】  フィルタリングテーブルの構成例である。
【図４】  本発明の第２の実施の形態にかかるボタン電話装置の構成を示すブロック図である。
【図５】  ボタン電話装置の動作を示すシーケンス図である。
【符号の説明】
１０Ｒ…回線制御装置、１０…主装置、１１…外線Ｉ／Ｆ部、１２Ｒ…電話機Ｉ／Ｆ部、１２…内線Ｉ／Ｆ部、１３…スイッチ、１４…呼制御部、１４Ａ…フィルタ制御手段、１５…記憶部、１６…ＬＡＮＩ／Ｆ部、１６Ａ…フィルタ手段、２０…内線伝送路、２０Ａ〜２０Ｎ…ボタン電話機、３０…内線電話回線、３０Ａ〜３０Ｎ…アナログ電話機、４０…ＬＡＮ回線、４０Ａ〜４０Ｍ…通信端末、５０…電話回線。
【図１】
0004258155.tif 000002
【図２】
0004258155.tif 000003
【図３】
0004258155.tif 000004
【図４】
0004258155.tif 000005
【図５】
0004258155.tif 000006